(57)【特許請求の範囲】
【請求項１】
レンズが収納される筒状のケース本体と、該ケース本体の開口部を閉じる蓋とから構成されるレンズ用レンズケースにおいて、
前記蓋は、前記ケース本体の開口部に着脱自在に取り付けられる環状の蓋本体と、該蓋本体の円形開口部に着脱自在に取り付けられるとともに前記レンズに取り付けられるレンズキャップとから構成されていることを特徴とするレンズ用レンズケース。
【請求項２】
前記レンズキャップは、交換レンズのフロントキャップ又は後端部キャップのいずれかであることを特徴とする請求項１に記載のレンズ用レンズケース。
【発明の詳細な説明】
【０００１】
【発明の属する技術分野】
本発明はレンズ用レンズケースに係り、特に交換レンズを収納して保管するレンズ用レンズケースに関する。
【０００２】
【従来の技術】
レンズ用レンズケースは、ケース本体と蓋とから構成されている。このレンズケースによれば、まず、ケース本体から蓋を取り外し、カメラ本体から取り外した交換レンズの前端部にフロントキャップを取り付けると共に、交換レンズの後端部（バヨネットマウント側）に前記蓋を取り付け、そして、交換レンズにケース本体を被せた後、ケース本体を蓋に取り付ける。これにより、交換レンズがレンズケースに収納される。
【０００３】
一方、交換レンズを携帯する場合には、フロントキャップの付いた交換レンズを前記レンズケースから取り出して、その後端部にリヤキャップを取り付けて携帯する。
【０００４】
【発明が解決しようとする課題】
しかしながら、従来のレンズケースとリヤキャップの取り扱いは、レンズケースは保管用、リヤキャップは携帯時の保護用と使用状況によって使い分けしていたため、以下の不具合があった。即ち、レンズケースに収納されている交換レンズを携帯する場合、レンズケースの蓋から交換レンズを取り外し改めてリヤキャップを取り付けるという手間が発生し、また、携帯している交換レンズをレンズケースに収納する場合にも、交換レンズからリヤキャップを取り外し改めてレンズケースの蓋を取り付けるという手間が発生していた。
【０００５】
本発明は、このような事情に鑑みて成されたもので、保管と携帯の取り扱いが容易なレンズ用レンズケースを提供することを目的とする。
【０００６】
【課題を解決する為の手段】
本発明は、前記目的を達成する為に、レンズが収納される筒状のケース本体と、該ケース本体の開口部を閉じる蓋とから構成されるレンズ用レンズケースにおいて、前記蓋は、前記ケース本体の開口部に着脱自在に取り付けられる環状の蓋本体と、該蓋本体の円形開口部に着脱自在に取り付けられるとともに前記レンズに取り付けられるレンズキャップとから構成されていることを特徴とする。
【０００７】
本発明によれば、レンズキャップがレンズケースの蓋の全部又は一部を兼用しているので、レンズキャップを取り付けた状態でレンズを、レンズケースに対して取り付け、取り外しすることができる。これによって、本発明は、レンズの保管と携帯の取り扱いにおいて、レンズキャップをレンズから取り外したり、取り付けたりする手間を省くことができるので、保管と携帯の取り扱いが非常に容易になる。
【０００８】
【発明の実施の形態】
以下添付図面に従って本発明に係るレンズ用レンズケースの好ましい実施の形態について詳説する。
図１は、本発明の第１の実施の形態に係るレンズ用レンズケースに交換レンズが収納された状態を示す斜視図であり、図２はレンズ用レンズケースの組立斜視図である。
【０００９】
図１に示すレンズ用レンズケース１０は、ケース本体１２、及び底蓋１４から構成されている。前記ケース本体１２は、交換レンズ１６を収納するようにカップ状に形成される。また、ケース本体１２は、透明のプラスチック製なので、収納された交換レンズ１６を外部から視認することができる。なお、交換レンズ１６は、フロントキャップ１７が取り付けられた状態で収納される。
【００１０】
前記底蓋１４は図２に示すように、ケース本体１２の下部開放部１３に着脱自在に取り付けられるもので、蓋本体１８とキャップ２０とから構成されている。前記蓋本体１８は、環状に形成されると共に、その下部の周囲に蓋本体１８よりも大径のレンズ座部２２が一体に形成されている。また、レンズ座部２２の周縁には、滑り止め用の筋状の溝２３、２３…が多数本形成されている。
【００１１】
蓋本体１８の外周部には、切欠部２４が等間隔で３ヵ所形成され、その切欠部２２の下部側方には、周方向に傾斜した係合面２６（図２上では１つの係合面２６のみ図示）が形成されている。一方、ケース本体１２の下部内周面には、爪２８が等間隔で３ヵ所突出形成されており、これらの爪２８、２８、２８を前記切欠部２４、２４、２４を介して前記係合面２６、２６、２６に各々係合させることにより、ケース本体１２が底蓋１４に取り付けられる。即ち、爪２８を切欠部２４に合わせて挿入した後、ケース本体１２を図２上矢印Ａ方向に回動する。これにより、爪２８が係合面２６に係合するので、ケース本体１２が底蓋１４に取り付けられる。また、ケース本体１２を図２上矢印Ｂ方向に回動すると、係合面２６に対する爪２８の係合が解除する。そして、前記切欠部２４に爪２８を合わせてケース本体１２を引き抜けば、底蓋１４からケース本体１２を取り外すことができる。
【００１２】
なお、本実施の形態では、切欠部２４、係合面２６、及び爪２８から成るバヨネット構造によってケース本体１２を底蓋１４に取り付けるようにしたが、この構造に限られるものではない。例えば、ケース本体１２の下部内周面に雌ねじを形成すると共に、蓋本体１８の外周部に雄ねじを形成し、これらのねじを螺合させてケース本体１２を底蓋１４に取り付ける螺子取付構造を採用しても良い。要するに、ケース本体１２を底蓋１４に着脱自在に取り付けることができる取付構造であれば、その形態は問わない。
【００１３】
一方、前記キャップ２０は、蓋本体１８に形成された円形開口部１９に着脱自在に取り付けられて、蓋本体１８とで底蓋１４を構成するものである。また、キャップ２０は、交換レンズ１６の携帯時に交換レンズ１６の後端部に取り付けられるリヤキャップとして兼用される。即ち、本実施の形態では、底蓋１４の一部を構成するキャップ２０がリヤキャップに兼用されている。
【００１４】
前記キャップ２０を交換レンズ１６に取り付ける取付方法について説明すると、まず、交換レンズ１６の後端部を図３に示すようにキャップ２０に挿入し、そして、交換レンズ１６を図３上矢印Ｃ方向に回動する。これにより、キャップ２０の内周面に等間隔で突出形成された３本爪２１、２１、２１（図２上では２つの爪２１のみ図示）に、交換レンズ１６の後端部に設けられている図示しないバヨネットマウントが係合する。これにより、キャップ２０が交換レンズ１６に取り付けられる。また、キャップ２０を交換レンズ１６から取り外す場合には、図３に示すように交換レンズ１６をキャップ２０に対して図３上矢印Ｃ方向に回動する。これにより、前記爪２１とバヨネットマウントとの係合が解除するので、キャップ２０を交換レンズ１６から取り外すことができる。なお、キャップ２０の外周面には、滑り止め用の筋状の溝２５、２５…が多数本形成されている。
【００１５】
次に、蓋本体１８に対するキャップ２０の取付構造について説明する。
図４に示すように、キャップ２０の外周部には、切欠部３０が等間隔で３ヵ所（図４上では１つの切欠部３０のみ図示）形成され、その切欠部３０の上部側方に、周方向に傾斜した係合面３２（図４上では１つの係合面３２のみ図示）が形成されている。一方、蓋本体１８の内周面には、爪３４が等間隔で３ヵ所突出形成されており、これらの爪３４、３４、３４を前記切欠部３０、３０、３０を介して前記係合面３２、３２、３２に各々係合させることにより、蓋本体１８にキャップ２０が保持される。即ち、切欠部３０を爪３４に合わせて挿入した後、交換レンズ１６を図４上矢印Ｅ方向に回動する。これにより、係合面３２が爪３４に係合するので、蓋本体１８にキャップ２０が保持される。
【００１６】
なお、蓋本体１８にキャップ２０を保持させる前記Ｅ方向は、交換レンズ１６にキャップ２０を取り付ける前記Ｃ方向（図３参照）と同方向なので、蓋本体１８にキャップ２０を保持させる時に、交換レンズ１６がキャップ２０から外れる場合はない。
また、蓋本体１８からキャップ２０を取り外す場合には、交換レンズ１６を図４上矢印Ｆ方向に回動させれば良いが、この方向に交換レンズ１６を回動すると、蓋本体１８からキャップ２０が外れる前に、交換レンズ１６がキャップ２０から外れる場合がある。そこで、このような不具合を防止するために、本実施の形態では、キャップ２０の底面に図５に示すツマミ３６を形成し、このツマミ３６を摘んでキャップ２０を図５上矢印Ｆ方向に回動させることにより、蓋本体１８からキャップ２０を取り外すようにしている。これにより、蓋本体１８からキャップ２０を取り外す時に、交換レンズ１６がキャップ２０から外れる場合はない。
【００１７】
なお、本実施の形態では、蓋本体１８に対するキャップ２０の取付構造として、切欠部３０、係合面３２、及び爪３４から成るバヨネット構造を採用したが、この取付構造に限られるものではない。例えば、キャップ２０の外周面に雄ねじを形成し、蓋本体１８の内周面に雌ねじを形成し、これらのねじを螺合させて取り付ける螺子取付構造を採用しても良い。要するに、蓋本体１８にキャップ２０を着脱自在に取り付けることができる構造であれば、その形態は問わない。
【００１８】
次に、前記の如く構成されたレンズ用レンズケース１０の取り扱い方法について説明する。
まず、レンズ用レンズケース１０に収納された交換レンズ１６を取り出して携帯する場合について説明すると、まず、ケース本体１２を図２上矢印Ｂ方向に回動して底蓋１４から取り外す。次に、図５に示したように、キャップ２０のツマミ３６を摘んでキャップ２０を図５上矢印Ｆ方向に回動して、蓋本体１８からキャップ２０を取り外す。これにより、交換レンズ１６はキャップ２０が取り付けられた状態で、即ち、リヤキャップが取り付けられた状態で蓋本体１８から取り外されるので、この取り外されたままの状態で携帯することができる。したがって、本実施の形態では、レンズ用レンズケース１０から交換レンズ１６を取り出した時に、リヤキャップを改めて取り付けるという手間を省くことができる。
【００１９】
次に、携帯していた交換レンズ１６をレンズ用レンズケース１０に収納する場合について説明する。まず、空のレンズ用レンズケース１０のケース本体１２を底蓋１４から取り外す。次に、図４に示したように、キャップ２０の切欠部３０を爪３４に合わせて挿入し、交換レンズ１６を図４上矢印Ｅ方向に回動する。これにより、交換レンズ１６がキャップ２０を介して蓋本体１８に取り付けられる。この後、交換レンズ１６の上からケース本体１２を被せ、ケース本体１２を底蓋１４に取り付ける。これによって、交換レンズ１６がレンズ用レンズケース１０に収納される。したがって、本実施の形態では、キャップ２０を交換レンズ１６に取り付けたままの状態で、交換レンズ１６をレンズ用レンズケース１０に収納することができるので、収納時にリヤキャップを交換レンズ１６から取り外すという手間を省くことができる。
【００２０】
なお、レンズ用レンズケース１０に収納された交換レンズ１６をカメラ本体に取り付ける場合には、ケース本体１２を底蓋１４から取り外した後、キャップ２０のツマミ３６を摘んでキャップ２０の共回りを防止した後、交換レンズ１６を図４上矢印Ｆ方向に回動する。これにより、キャップ２０が蓋本体１８に取り付けられた状態で、キャップ２０から交換レンズ１６が取り外されるので、その交換レンズ１６をそのままカメラ本体に取り付けることができる。
【００２１】
図６は、本発明の第２の実施の形態に係るレンズ用レンズケース４０を下方から見た斜視図であり、図１〜図５に示した第１の実施の形態と同一若しくは類似の部材については同一の符号を付してその説明は省略する。
図６に示すレンズ用レンズケース４０は、ケース本体１２に蓋本体１８Ａを取り付けた状態で、キャップ２０Ａが取り付けられた交換レンズ１６をレンズケース４０に収納可能、及び取り出し可能に構成したものである。斯かる構成は、蓋本体１８Ａの円形開口部１９Ａを、交換レンズ１６が挿通することができる大きさに形成すると共に、開口部１９Ａの内周面に雌ねじ４２を形成している。そして、キャップ２０Ａの外周面に、前記雌ねじ４２に螺合する雄ねじ４４を形成している。
【００２２】
このレンズ用レンズケース４０によれば、まず、キャップ２０Ａが取り付けられた交換レンズ１６を、蓋本体１８Ａの開口部１９Ａを介してケース本体１２内に挿入する。そして、ツマミ３６Ａを摘んでキャップ２０Ａを蓋本体１８Ａにねじ込んで、キャップ２０Ａを蓋本体１８Ａに締結する。これによって、交換レンズ１６をレンズ用レンズケース４０に収納することができる。また、キャップ２０Ａを蓋本体１８Ａに対して緩めて、蓋本体１８Ａから引き抜けば、交換レンズ１６をレンズケース４０から取り出すことができる。
【００２３】
なお、第２の実施の形態では、蓋本体１８Ａとキャップ２０Ａとをねじによって取り付けたが、これに限られるものではなく、第１の実施の形態と同様にバヨネット構造で取り付けても良い。要するに、蓋本体１８Ａにキャップ２０Ａを着脱自在に取り付けることができる構造であれば、その形態は問わない。
また、第１、第２の本実施の形態では、底蓋１４の一部を構成するキャップ２０、２０Ａを、交換レンズ１６のリヤキャップとして兼用したが、これに限られるものではなく、底蓋１４全部をリヤキャップとして形成し、底蓋１４とリヤキャップとを共用するようにしても良い。
【００２４】
更に、第１、第２の実施の形態では、底蓋１４側にリヤキャップを取り付けるようにしたが、リヤキャップをケース本体１２側に着脱できるように構成しても良い。
また、第１、第２の実施の形態では、レンズキャップとしてリヤキャップを適用した例について説明したが、これに限られるものではなく、交換レンズ１６のフロントキャップ１７を着脱できるように構成しても良い。
【００２５】
【発明の効果】
以上説明したように本発明に係るレンズ用レンズケースによれば、レンズキャップをレンズケースの蓋の全部又は一部として兼用したので、レンズの保管と携帯の取り扱いが非常に容易になる。
【図面の簡単な説明】
【図１】第１の実施の形態のレンズ用レンズケースに交換レンズが収納された図
【図２】図１のレンズ用レンズケースの組立斜視図
【図３】交換レンズにキャップが取り付けられた状態を示す図
【図４】交換レンズが取り付けられたキャップと蓋本体との取付方法を説明する図
【図５】蓋本体に対するキャップの取り外し方法を説明する図
【図６】第２の実施の形態のレンズ用レンズケースに交換レンズが収納される図
【符号の説明】
１０…レンズ用レンズケース
１２…ケース本体
１４…底蓋
１６…交換レンズ
１８、１８Ａ…蓋本体
２０、２０Ａ…キャップ（リヤキャップ）
３６…ツマミ
【図１】
0003903595.tif 000002
【図２】
0003903595.tif 000003
【図３】
0003903595.tif 000004
【図４】
0003903595.tif 000005
【図５】
0003903595.tif 000006
【図６】
0003903595.tif 000007